(57)【要約】【課題】光ケーブルの伝送特性に悪影響を与えることなく、光ケーブルの接続や切り替え或いは分岐接続作業や再収納作業が容易に実施でき、光ケーブル接続箱に導入する光ケーブルをしっかりと保持することができ、配線接続の作業を簡単に取扱える。【解決手段】光ケーブル接続箱Ａのケーブル導入口１に光コネクタ接続箱Ｂを着脱自在に連結した光ケーブル接続用キャビネットであって、光ケーブル接続箱Ａのケーブル導入口１に、光ケーブル接続箱Ａから張り出し、光ケーブルＣを把持接続した光コネクタ２を収納するスペース３を有する防護カバー４と、該光コネクタ２を取り付けるアダプタベース板５とを備えた光コネクタ接続箱Ｂを着脱自在に連結した。【選択図】    図１
2004212898.tif 000002
【特許請求の範囲】
【請求項１】
光ケーブル接続箱のケーブル導入口に、光ケーブル接続箱から張り出し、光ケーブルを接続した光コネクタを収納するスペースを有する防護カバーと、該光コネクタを取り付けるアダプタベース板とを備えた光コネクタ接続箱を着脱自在に連結したこと特徴とする光ケーブル接続用キャビネット。
【請求項２】
光ケーブルの把持接続部を形成する光コネクタが、前記光コネクタ接続箱内の接続アダプタの片側に終端され、アダプタの終端他端を光コネクタ接続箱の外面に露出して光ケーブル接続箱のケーブルに接続されていることを特徴とする請求項１記載の光ケーブル接続用キャビネット。
【請求項３】
前記接続アダプタが、前記アダプタベース板に嵌脱自在に挿着されるアダプタ固定部品に収納されていて、該アダプタ固定部品を前記光コネクタ接続箱に着脱自在に取付け配備したことを特徴とする請求項１または２記載の光ケーブル接続用キャビネット。
【請求項４】
前記防護カバーが、異方向に突設した係止片を備えて、該係止片を前記アダプタベース板に形成した係止孔に係脱する構成とすると共に、該係止片をアダプタベースの背面に潜らせて摺動自在に装着して取り外し自在に配備され、前記光ケーブル接続箱から張り出した光コネクタを被覆することを特徴とする請求項１，２または３記載の光ケーブル接続用キャビネット。
【請求項５】
前記アダプタベース板が、その一端側に前記光ケーブル接続箱のケーブル導入口に形成したケーブル挿入凹凸条に嵌挿される切込孔を複数並列した取付部を備え、該取付部で前記光コネクタ接続箱に着脱自在に取付け配備したことを特徴とする請求項３または４記載の光ケーブル接続用キャビネット。
【請求項６】
前記アダプタ固定部品が、光コネクタ接続箱内に固着した前記アダプタベース板に形成した位置決め孔に係脱する係止片と弾性位置決め片とを配備して前記光コネクタ接続箱に着脱自在に取付けることを特徴とする請求項３，４または５記載の光ケーブル接続用キャビネット。
【請求項７】
前記光ケーブル接続箱が、外被を剥がさずに収納する下側ケースと、外被を剥がして露出させた光ファイバ心線の余長と、その接続部とを収納する上下に積層された複数枚トレイからなる上側ケースをヒンジ部によって開閉自在に前記下側ケースに連結したものからなり、前記下側ケースに前記光コネクタ接続箱の外面を嵌合する開口を形成した蓋体を取り外し自在に設けたことを特徴とする請求項４，５または６記載の光ケーブル接続用キャビネット。
【発明の詳細な説明】
【０００１】
【発明の属する技術分野】
本発明は、通信ケーブル、特に光ファイバ心線を有する光ファイバケーブル（以下光ケーブル）の配線区間において、固定配線区画の配線点や、屋外から屋内に引き込まれる光ケーブルのケーブル接続点における接続並びに架空ケーブルや地下ケーブルなどの光ケーブルと、分岐光ファイバケーブルの接続のために用いられる光ケーブル接続用キャビネットにおいて、光ケーブルを取り扱い簡単で容易に把持できるようにし、光ケーブルの接続部や心線余長をも保護して安全に用いられる光ケーブル接続用キャビネット、特にその光ケーブル接続箱に関するものである。
【０００２】
【従来の技術】
従来より、光ケーブルの分岐、引込、接続などを行う場合、光ケーブル接続用キャビネット内においてケーブル心線相互を接続すると共に、光ケーブルの導出入部では、光ケーブル把持部が設けられ、この光ケーブル把持部は多数の光ケーブルを狭い間隔で簡単に把持できるようにすることが要請されている。
そして、光ケーブルを簡単に把持するには、ケーブル導入部に溝を形成して、この溝の中にケーブルを押し込んで把持する構造にすることが知られていて、このタイプの光ケーブル把持部としては、溝内に対向する壁面に交互に突起を形成して、ケーブルを蛇行させて把持するものや、溝に押し込んだケーブルに弾性片を押しつけて把持したり、溝内にクランプを圧入して把持したりするものなどの手段が用いられている。〔特願平９−１２７８５２号参照〕
【０００３】
【発明が解決しようとする課題】
しかし、この種の光ケーブル把持具では、溝の中でケーブルを蛇行させて把持する構造は、蛇行回数を多くしなければ十分な把持力を得ることが難しく、蛇行回数を多くしたりすると光ケーブルファイバの損失増加が発生しやすいという問題がある。また溝のなかでケーブルに弾性片を押しつけて把持したり、また挟持部材を押し込んだりして把持するする構造は、弾性片やまた挟持部材を確実に圧入しなければ同様に十分な把持力を得ることが難しく、ケーブルが引き抜けやすいという問題があり、またユーザ系の業者ごとの仕分使用が難しく既設設備の効率的な使用や有効利用並びに経済的利用が要請されている。
本発明は、これら従来の事情に鑑みてなされたものであり、光ケーブルの伝送特性に悪影響を与えることなく、光ケーブルの接続や切り替え或いは分岐接続作業や再収納作業が容易に実施でき、心線ごとの収納や整理のほか心線ごとの増減が簡単にでき、しかも増設も楽でケーブルを安全に収納することができ、光ケーブル把持に際して光コネクタ接続箱を用いてケーブルをしっかりと保持することができ、しかも光ケーブル接続の仕分使用をも簡単に可能にして取扱い簡便な光ケーブル接続用キャビネットを安価な形態で提供することを目的とするものである。
【０００４】
【課題を解決するための手段】
本発明に係る光ケーブル接続用キャビネットは、光ケーブル接続箱のケーブル導入口に、光ケーブル接続箱から張り出し、光ケーブルを接続した光コネクタを収納するスペースを有する防護カバーと、該光コネクタを取り付けるアダプタベース板とを備えた光コネクタ接続箱を着脱自在に連結したことを特徴とする。
【０００５】
このように光ケーブル導入口に光コネクタを備えた光コネクタ接続箱をアダブタベース板を介して着脱自在に連結したことで、光ケーブルの伝送特性に悪影響を与えることなく、光ケーブルの接続や切り替え或いは分岐接続作業や再収納作業が容易に実施でき、ケーブルを確実に把持すると共に、十分大きな把持力が得られ、引き抜き方向に対する抵抗力も大幅に増加して光ケーブルを安全に保持することができる。
【０００６】
本発明の光ケーブル把持部を形成する光コネクタは、前記光コネクタ接続箱内の接続アダプタの片側に終端され、アダプタの終端他端を光コネクタ接続箱の外面に露出して光ケーブル接続箱のケーブルに接続されていることを特徴とする。このようにすることで、ケーブル導入口のケーブル挿通溝にケーブルを押し込むこともでき、凹溝に圧入されたアダブタベース板によってケーブルを確実に固定化できるようにし、高密度の保持形態を長期にわたって維持できケーブル接続の安全性を高めることができる。
【０００７】
また本発明に係る接続アダプタが、前記アダプタベース板に嵌脱自在に挿着されるアダプタ固定部品に収納されていて、該アダプタ固定部品を前記光コネクタ接続箱に着脱自在に取付け配備したことで、各ケーブルの把持力を均等化することができ、光ケーブルファイバの損失増加が発生することなく安全に取り扱うことができる。
【０００８】
さらに、本発明での前記防護カバーが、異方向に突設した係止片を備えて、該係止片を前記アダプタベース板に形成した係止孔に係脱する構成とすると共に、該係止片をアダプタベースの背面に潜らせて摺動自在に装着して取り外し自在に配備され、前記光ケーブル接続箱から張り出した光コネクタを被覆すること、光ケーブル接続箱のケーブル導入口に、多数の光ケーブルを被覆保護でき簡単な把持で光ケーブルが引き抜けにくく確実にキャビネット本体内に保持できる。
【０００９】
本発明の前記アダプタベース板が、その一端側に前記光ケーブル接続箱のケーブル導入口に形成したケーブル挿入凹凸条に嵌挿される切込孔を複数並列した取付部を備え、前記光コネクタ接続箱に着脱自在に取付け配備できるように構成することが好ましく、このようにすることで光ケーブルに対する引っ張りや緩み現象が生じなく心線にストレスが掛ることをなくして心線の伝送特性に悪影響を及ぼすことがない。
【００１０】
本発明の前記アダプタ固定部品が、光コネクタ接続箱内に固着した前記アダプタベース板に形成した位置決め孔に係脱する係止片と、弾性位置決め片とを配備して前記光コネクタ接続箱に着脱自在に取付けるようにしているので、ケーブルの飛び出し防止構成となっていることで、ケーブルの脱落による支障が生じることもなくケーブルの保持力の低下をも確実に防止できる。
【００１１】
前記光ケーブル接続箱が、外被を剥がさずに収納する下側ケースと、外被を剥がして露出させた光ファイバ心線の余長と、その接続部とを収納する上下に積層された複数枚の上側ケースをヒンジ部によって開閉自在に前記下側ケースに連結したものからなり、前記下側ケースに前記光コネクタ接続箱の外面を嵌合する開口を形成した蓋体を取り外し自在に設けるのが好ましく、心線ごとの収納や整理のほか心線ごとの増減が簡単にでき、しかも増設も楽であり、きわめてコンパクトにケーブルを安全に収納することができ、しかも、複数のケーブル導入口に、光コネクタ接続箱を簡単に取付け、ユーザ系の業者ごとに光ケーブル接続の仕分使用をも簡単に可能にして既設設備の効率的な使用や有効利用を簡便に行うことができる。
【００１２】
【発明の実施の形態】
本発明の実施例を図面を用いて説明すると、図１は光ケーブル接続箱Ａのケーブル導入口１に光コネクタ接続箱Ｂを着脱自在に連結した本発明の光ケーブル接続用キャビネットの一例を示す。図１において、光ケーブル接続箱Ａのケーブル導入口１に、光ケーブル接続箱Ａから張り出し、光ケーブルＣを接続した光コネクタ２を収納するスペース３を有する防護カバー４と、該光コネクタ２を取り付けるアダプタベース板５とを備えた光コネクタ接続箱Ｂを着脱自在に連結してある。
前記光ケーブル把持部を形成する光コネクタ２は、前記光コネクタ接続箱Ｂ内の接続アダプタ６の片側に終端され、該接続アダプタ６の終端他端を光コネクタ接続箱Ｂの外面に露出して光ケーブル接続箱Ａの光ケーブルＣに接続されている。
【００１３】
そして、前記接続アダプタ６としては、前記アダプタベース板５に嵌脱自在に挿着されるアダプタ固定部品７に収納されていて、該アダプタ固定部品７は前記光コネクタ接続箱Ｂに着脱自在に取付け配備するのがよい。
さらに前記防護カバー４は、異方向に突設した係止片１４を備えて、該係止片１４を前記アダプタベース板５に形成した係止孔１５に係脱する構成とすると共に、該係止片１４をアダプタベース板５の背面に潜らせて摺動自在に装着して取り外し自在に配備され、前記光コネクタ接続箱Ｂから張り出した光コネクタ２を被覆するようにしてある。
【００１４】
この場合、前記アダプタベース板５が、その一端側に前記光ケーブル接続箱Ａのケーブル導入口１に形成したケーブル挿入凹凸条１１に嵌挿される切込孔１２を複数並列した取付部１３を、前記光コネクタ接続箱Ａに着脱自在に取付け配備するのがよい。
この切込孔１２は、ケーブル挿入凹凸条１１の上の開放端から差し込んで溝底の位置まで挿入し、さらに溝の中にアダプタ６に接続されるケーブルを圧入して把持し、前記光コネクタ接続箱Ｂ上に蓋体２３を被覆載置すれば、光ケーブルＣに対する引っ張りや緩み現象が生じなく心線にストレスが掛ることをなくしてケーブルを把持できる状態で、前記アダプタベース板５が光ケーブル接続箱Ａに連結でき、蓋体２３を被せれば、抜き落ちることなく確実に連結でき、蓋体２３を外せば簡単にアダプタベース板５を取り除くことができる。
また、前記アダプタ固定部品７は、光コネクタ接続箱Ｂ内に固着した前記アダプタベース板５に形成した係止孔１６及び位置決め孔１７に係脱する係止片８と弾性位置決め片９とを配備して、前記光コネクタ接続箱Ｂに複数並列状態で着脱自在に取付けるのが好ましい。
【００１５】
この光コネクタ接続箱Ｂは、図２及び図３に示す如く、前記アダプタベース板５に嵌脱自在に挿着されるアダプタ固定部品７にアダプタ６を一個収納し或いは複数を縦方向に連設したものを収納して、突き合わせ抱持し、このアダプタ固定部品７に設けた係止片８と、弾性位置決め片９とをアダプタベース板５の係止孔１６及び位置決め孔１７に係脱自在に装着して光ケーブルを把持できるようにしてある。
この場合、前記アダプタ固定部品７としては、断面略コ字状の取付枠を用い上下面に形成した切り込み溝７１  にアダプタ６の凸片６１  を突き合わせ係脱自在に嵌着する。該アダプタ６は、一個単独または二個連接したものを弛まないように支持されるが、アダプタ６とアダプタ固定部品７との接合対向面に備えた係止用凹凸部によって二つ割りに脱着がしやすいようにするのがよい。
【００１６】
なお、前記光ケーブル接続箱Ａとしては、図４に示すように、ケーブルの外被を剥がさずに収納する下側ケース１０と、外被を剥がして露出させた光ファイバ心線の余長と、その接続部とを収納する上下に積層された複数枚の心線収納トレイ２０１  ，  ２０２  からなる上側ケース２０をヒンジ部２１によって開閉自在に前記下側ケース１０に連結したもので、前記下側ケース１０に導入される光ケーブルＣはケース或いはトレイの中央部に突設したガイドリブ２４のまわりを周回して、押え片２５などでばらつかないように収納される。
前記光ケーブル接続箱Ａには、前記光コネクタ接続箱Ｂの外面を嵌合する開口２２を形成した蓋体２３を取り外し自在に設けたものを用いるが、ケース内には光ファイバ心線の余長と、その接続部とを収納する他の構成のトレイを用いてもよい。
【００１７】
この光ケーブル接続箱Ａには、光ケーブルＣが導入され、分岐された心線を収納できる複数枚の一括心線収納トレイ２０１  と、個別心線収納トレイ２０２  とが引き通し用トレイ或いは取付板などを介して着脱自在に内装配備されているが、該心線収納トレイ２０１  ，  ２０２  には、光ファイバ心線を導出入し、心線相互を接続した接続部（図示せず）を収納して、さらに心線余長を巻回して収納するもので、心線収納トレイ２０１  ，  ２０２  から導出した光ケーブルＣをアダプタ６に接続してアダプタ固定部品７で把持処理し、より十分大きな把持力が得られ、引き抜き方向に対する抵抗力が大幅に増加して光ケーブルを確実に把持でき、高密度の把持形態を長期にわたって維持でき安全性を高めることができる。
【００１８】
図５の実施形態では、前記アダプタ固定部品７で抱持するアダプタ６、例えばＭＤＦモジュールを一個装着したものを、４列に前記アダプタベース板５に並設して光コネクタ接続箱Ｂを構成したもので、これに対応して光ファイバ心線の余長と、その接続部とを収納する上下に積層された複数枚の心線収納トレイ２０１，  ２０２  からなる上側ケース２０を備えた光ケーブル接続箱Ａのケーブル導入口１に連結して用いられる。
【００１９】
光ケーブル接続箱Ａのケーブル導入口１は、溝の配列方向が両端側或いは直交する方向に向くように形成され、複数カ所の方向、図示例では３ヵ所の方向に形成してケーブルの導入、導出方向を自由にとることができ、配線の自由度に余裕を持たせてあり、前記光コネクタ接続箱Ｂも任意の方向に連結することができる。この溝の中に押し込んでアダプタベース板５並びに光ケーブルを保持するが、圧入されたケーブルに複数ヵ所で摩擦抵抗を加えるようにして光ケーブルを挟み付ければ、より十分大きな把持力が得られ、引き抜き方向に対する抵抗力が大幅に増加して光ケーブルを確実に把持できる。
【００２０】
このキャビネットには屋外から屋内に引き込まれるドロップケーブル或いは屋内に配線される少心の光ケーブルなどの光ケーブルＣを光ケーブルの外被を剥がさずに収納する下側ケース１０と、上下に積層された複数枚の心線収納トレイ２０１  ，  ２０２  からなる上側ケース２０に光ケーブルの外被を剥いで露出させた光ファイバ心線とその接続部を収納するが、この複数の心線収納トレイ２０１  ，  ２０２  が、光ケーブルＣが接続部によって接続配線された状態でケーブル接続箱Ａ内に導入されて固定されて用いられる。
【００２１】
この場合、前記光ケーブル接続箱Ａと、光コネクタ接続箱Ｂ並びにこれらを被覆する蓋体２３若しくは防護カバー４とは、それぞれ難燃性の合成樹脂により一体成形された成形品から構成したものであり、また、前記４心一括心線収納トレイ２０１  と個別心線収納トレイ２０２  とも、合成樹脂により一体成形された成形品から構成したものであって係止部材、例えば係止凹凸部を設けて着脱自在に互いに装着して光ケーブル接続用キャビネットとした心線接続収納ケースとするのがよい。
【００２２】
なお、図１の例では、光ケーブルＣを一本だけ示したが、実際には、キャビネット本体１内には多数の光ケーブルＣが導入されて用いられる。また各心線収納トレイを積層配備した例で示したが、並列配備したり、一括心線収納トレイ或いは個別心線収納トレイをそれぞれ積層するのに代えて、各心線収納トレイを取り替えて一括心線収納トレイ同士また、個別心線収納トレイ同士を並設した形態などにしたり、これ以外の構成であってもよく、ケーブル導入口１には、必要に応じケーブル把持具、その他のケーブル把持具が備えられているものであれば、光ケーブルＣのクランプ固定化を簡便化して有効に用いられうる。
前記キャビネットとしては、合成樹脂の射出成形等により成形され、開閉自在或いは取り外し自在のカバーまたは蓋ケースを備えて安全保護に役立てることが考慮される。
【００２３】
この実施形態に係る光ケーブル接続用キャビネットにあっては、分岐光ケーブルと引き通し光ケーブルＣの接続に際しては、キャビネットを建物の外壁面にビス等で固定し、分岐光ケーブルと引き通し光ケーブルをそれぞれ配索孔に通し、各分岐光ケーブル引き通しケーブルの心線余長は心線収納トレイに入れ、また保留心線は保留心線収納シート或いはその他部品に入れて保持すればよい。そして光ケーブル接続箱Ａ及び光コネクタ接続箱Ｂに蓋体或いは防護カバーを覆ぶせて閉蓋状態を維持するが、光ケーブルＣの引き落し増設や切替交換等の配線処理作業は心線のハンドリングのケーブル外被剥ぎ取部分から簡便にでき、一目でわかる配線形態で識別性も著しく容易にできるようになる。
【００２４】
【発明の効果】
本発明は、光ケーブル接続箱のケーブル導入口に、光ケーブル接続箱から張り出し、光ケーブルを把持接続した光コネクタを収納するスペースを有する防護カバーと、アダプタベース板とを備えた光コネクタ接続箱を着脱自在に連結したことにより、光ケーブルの伝送特性に悪影響を与えることなく、光ケーブルの接続や切り替え或いは分岐接続作業や再収納作業が容易に実施でき、心線ごとの増減も簡単にでき、しかも増設も楽で、光ケーブル把持に光コネクタ接続箱を用いてケーブルをしっかりと保持することができ、しかも、光ケーブルを確実に配列すると共に、引き抜き方向に対する抵抗力も大幅に増加して光ケーブルを安全に接続することができると共に、光コネクタは、前記光コネクタ接続箱内の接続アダプタの片側に終端され、アダプタの終端他端を光コネクタ接続箱の外面に露出して光ケーブル接続箱のケーブルに接続されていることで、ケーブル導入口のケーブルを高密度の把持形態を長期にわたって維持でき、ケーブル接続の安全性を高めることができる。
【００２５】
また本発明に係る接続アダプタが、前記アダプタベース板に嵌脱自在に挿着されるアダプタ固定部品に収納されていて、該アダプタ固定部品を前記光コネクタ接続箱に着脱自在に取付け配備したことで、各ケーブルの把持力を均等化することができ、光ケーブルファイバの損失増加が発生しないで取り扱うことができ、さらに、光ケーブル接続箱のケーブル導入口に、多数の光ケーブルを被覆保護でき簡単な把持で光ケーブルが引き抜けにくく確実にキャビネットに保持できる。
【００２６】
さらに、本発明では、前記アダプタベース板が、その一端側に前記光ケーブル接続箱のケーブル導入口に形成したケーブル挿入凹凸条に嵌挿される切り込み孔を複数並列した取付部を備え、前記光コネクタ接続箱に着脱自在に取付け配備できるように構成してあるので光ケーブルに対する引っ張りや緩み現象が生じなく心線にストレスが掛ることをなくして心線の伝送特性に悪影響を及ぼすことがなく用いられる。
【００２７】
本発明の前記アダプタ固定部品が、光コネクタ接続箱内に固着した前記アダプタベース板に形成した位置決め孔に係脱する係止片と弾性位置決め片とを配備して前記光コネクタ接続箱に着脱自在に取付けるようにしているので、光ケーブルの飛び出し防止構成となっていることで、ケーブルの脱落による支障が生じることもなくケーブルの把持力の低下をも確実に防止できる。
【００２８】
本発明では、前記光ケーブル接続箱が、外被を剥がさずに収納する下側ケースと、外被を剥がして露出させた光ファイバ心線の余長と、その接続部とを収納する上側ケースをヒンジ部によって開閉自在に連結したものからなるので、心線ごとの収納や整理のほか心線ごとの増減の取り扱いが容易で、光ケーブルを安全に収納することができ、しかも、複数形成されるケーブル導入口に、それぞれに光コネクタ接続箱を簡単に取付け、ユーザ系の業者ごとに光ケーブル接続の仕分使用をも簡単に可能にして既設設備の効率的な使用や有効利用を簡便に行うことができるし、アダブタ固定部品でケーブルの飛び出し防止構成となっていることで、ケーブルの脱落による支障が生じることもなく光ケーブルの把持力の低下をも確実に防止できるほか、心線接続作業に際し光ファイバ心線を迅速に引き落すことができ、心線識別も容易で接続部の再調整や修理など簡単に行うことができ、作業性を大幅に向上することに寄与できる。
【図面の簡単な説明】
【図１】図１は本発明の実施例の一使用状態を示し、カバーの一部を取り除いて内部を示し、（ａ）はその平面図、（ｂ）は一部切断側面図である。
【図２】図１の例で用いられるアダプタベース板を示し、（ａ）はその平面図、（ｂ）は切断側面図、（ｃ）はそのその正面図である。
【図３】図１の例で用いられるアダプタ固定部材を示し、（ａ）はその側面図、（ｂ）はその正面図でアダプタの分離状態図、（ｃ）はその底面図、（ｄ）は一部切断平面図である。
【図４】図１の例の他の一使用状態を示し、（ａ）はその平面図、（ｂ）はその正面図、（ｃ）はその背面図である。
【図５】本発明の他の実施例を示し、（ａ）はその平面図、（ｂ）はその一部切断側面図である。
【符号の説明】
Ａ    光ケーブル接続箱
Ｂ    光コネクタ接続箱
Ｃ    光ケーブル
１    ケーブル導入口
２    光コネクタ
３    スペース
４    防護カバー
５    アダプタベース板
６    接続アダプタ
６１    凸片
７    アダプタ固定部品
７１    切り込み溝
８    係止片
９    位置決め片
１０    上側ケース
１１    ケーブル挿入凹凸条
１２    切込孔
１３    取付部
１４    係止片
１５    係止孔
１６    係止孔
１７    位置決め孔
２０    上側ケース
２０１    心線収納トレイ
２０２    心線収納トレイ
２１    ヒンジ部
２２    開口
２３    蓋体
２４    ガイドリブ
２５    押え片
【図１】
2004212898.tif 000003
【図２】
2004212898.tif 000004
【図３】
2004212898.tif 000005
【図４】
2004212898.tif 000006
【図５】
2004212898.tif 000007